(57)【要約】【課題】導光板の相対向する両端面にそれぞれ線状光源を配置するに当たって、少なくとも一方の線状光源に対するグランド側のケーブルを省略できるようにして、狭額縁化に寄与することができるサイドライト型バックライト装置を提供する。【解決手段】相対向する互いに平行な第一及び第二端面２１，２２とこれらに直交しかつ相対向する互いに平行な第三及び第四端面２３，２４を有する導光板２と、第一及び第二端面２１，２２に沿ってそれぞれ配置された第一及び第二線状光源５，６と、を備えているサイドライト型バックライト装置において、導光板２の第三端面２３に沿ってグランド線１３を延設し、このグランド線１３の一端部に第一線状光源５の長手方向一端側の導電部を接続し、同グランド線１３の他端部に第二線状光源６の長手方向一端側の導電部を接続する。【選択図】　　　図１
2004055210.tif 000002
【特許請求の範囲】
【請求項１】
相対向する互いに平行な第一及び第二端面（２１，２２）とこれらに直交しかつ相対向する互いに平行な第三及び第四端面（２３，２４）を有する導光板（２）と、前記第一及び第二端面（２１，２２）に沿ってそれぞれ配置された第一及び第二線状光源（５，６）と、を備えているサイドライト型バックライト装置において、
前記導光板（２）の第三端面（２３）に沿ってグランド線（１３）が延設され、このグランド線（１３）の一端部に前記第一線状光源（５）の長手方向一端側の導電部が接続され、同グランド線（１３）の他端部に前記第二線状光源（６）の長手方向一端側の導電部が接続されていることを特徴とするサイドライト型バックライト装置。
【請求項２】
グランド線（１３）は導電性を有しかつ長手方向端部に取付孔（１５）を有するプレート材よりなり、第一及び第二線状光源（５，６）の導電部を構成するリード線（１４）を前記取付孔（１５）に挿通して前記プレート材に電気的に接続されている請求項１に記載のサイドライトライド型バックライト装置。
【発明の詳細な説明】
【０００１】
【発明の属する技術分野】
本発明は、液晶表示装置に好適に使用することができるサイドライト型バックライト装置に関するものである。
【０００２】
【従来の技術】
パソコンやテレビ等の表示装置として利用される液晶表示装置は、一般に、一対の基板間に液晶層を保持してなる光透過型の液晶表示パネルと、このパネルの裏面側に重ねて配置されたバックライト装置とを備えている。かかるバックライト装置は、拡散板の背後に冷陰極管よりなるランプ（線状光源）を配置した直下型のものと、導光板の端面に沿って細長い冷陰極管よりなるランプを配置したサイドライド型のものがある。
【０００３】
このうち、サイドライト型のバックライト装置では、導光板の端面から入射した光は、導光板の裏面に設けられた反射シートによってその表面側に反射され、導光板の表面に設けられた光学シートを通過して液晶表示パネルを背後から照射するようになっている。
そして、この種のサイドライト型バックライト装置において、ノートパソコン等の薄型かつ軽量化の要請が強い製品に使用する場合には、導光板の一端面のみにランプを配置する片側照射タイプが用いられることが多く、モニターやテレビ等の高輝度及び高画質の要請が強い製品に使用する場合には、導光板の相対向する両端面にランプを配置する両側照射タイプが用いられることが多い。
【０００４】
【発明が解決しようとする課題】
上記両側照射タイプのサイドライト型バックライト装置では、従来、導光板の相対向する両端面にそれぞれ配置された各ランプに対して、ホット側（高圧側）のケーブルとグランド側（低圧側）のケーブルをそれぞれ別個独立に結線していたので、いずれのランプに対してもグランド側のケーブルを当該ランプの背後（リフレクタの背面側）に沿って配置する必要があり、この点で、ランプを収納するフレーム部分を狭額縁化するのに自ずから限界があった。
【０００５】
本発明は、このような実情に鑑み、導光板の相対向する両端面にそれぞれ線状光源を配置するに当たって、少なくとも一方の線状光源に対するグランド側のケーブルを省略できるようにして、狭額縁化に寄与することができるサイドライト型バックライト装置を提供することを目的とする。
【０００６】
【課題を解決するための手段】
上記目的を達成すべく、本発明は次の技術的手段を講じた。
すなわち、本発明は、相対向する互いに平行な第一及び第二端面とこれらに直交しかつ相対向する互いに平行な第三及び第四端面を有する導光板と、前記第一及び第二端面に沿ってそれぞれ配置された第一及び第二線状光源と、を備えている両側照射タイプのサイドライト型バックライト装置において、前記導光板の第三端面に沿ってグランド線が延設され、このグランド線の一端部に前記第一線状光源の長手方向一端側の導電部が接続され、同グランド線の他端部に前記第二線状光源の長手方向一端側の導電部が接続されていることを特徴とするものである。
【０００７】
この場合、グランド側である第一及び第二線状光源の長手方向一端側の導電部が導光板の第三端面に沿って延設したグランド線にそれぞれ接続されているので、第一及び第二線状光源のうちの少なくとも一方に対しては、その背面側にグランド側のケーブルを延設する必要がなくなる。このため、当該ケーブルを省略した側の線状光源を収納するフレーム部分を狭額縁化することができる。
【０００８】
上記の本発明において、グランド線は、第一線状光源の導電部と第二線状光源の導電部を電気的に導通できるものであれば、丸線ケーブルやフラットケーブル等の通常の電線を使用することができるが、かかるグランド線は、導電性を有しかつ長手方向端部に取付孔を有するプレート材より構成することが好ましい。
この場合、第一及び第二線状光源の導電部を構成するリード線を前記取付孔に挿通して前記プレート材に電気的に接続することにより、第一及び第二線状光源の一端部同士を当該プレート材を介して互いに位置決めすることができ、ゴムホルダー等の特別な固定部材が不要となる点で、バックライト装置の製作コストを低減することができる。
【０００９】
【発明の実施の形態】
以下、図面を参照しつつ、本発明の実施の形態を説明する。
図３は、本発明に係るサイドライト型バックライト装置１の基本構造を示している。
同図に示すように、このバックライト装置１は、図示しない光透過型の液晶表示パネルの裏面側に配置される導光板２と、この導光板２の表面（発光面）２Ａに配置された光学シート３と、導光板２の裏面（反射面）２Ｂに配置された反射シート４と、導光板２の相対向する互いに平行な端面２１，２２に沿ってそれぞれ配置された二つの線状光源５，６とを備えている。
【００１０】
上記導光板２は、非導電性材料であるアクリル樹脂製であり、平面視において長方形状に形成されている。すなわち、この導光板２は、相対向する互いに平行な長辺側の第一及び第二端面２１，２２と、これらに直交しかつ相対向する互いに平行な短辺側の第三及び第四端面２３，２４を有しており、このうちの第一及び第二端面２１，２２にそれぞれ近接して第一及び第二線状光源５，６が配置されている。
【００１１】
前記光学シート３は、拡散板やレンズシートを複数枚積層することによって構成されていて、この積層体は導光板２の表面２Ａに貼り付けられている。他方、前記反射シート４は、第一及び第二端面２１，２２から入射された光を反射して発光側である表面２Ａに導くものであり、白色等の光の反射効率の高い色のシート材料が用いられている。なお、これらの光学シート３及び反射シート４はいずれも非導電性材料より構成されており、導光板２とともに硬質のベースフレーム７の底部に収納されている。
【００１２】
図１及び図３に示すように、本実施形態の線状光源５，６は、導光板２の表裏方向に並ぶ一対のランプ８，８と、これらのランプ８，８のホット側（高圧側）の端部同士をそれぞれ固定するゴム製のホルダー９とを備えている。ランプ８は高周波交流電源により点灯する冷陰極管よりなり、ホルダー９はホット側のケーブル１０を介して電源コネクタ１１に接続されている。また、このコネクタ１１はインバータ回路を有する図示しない交流電源に接続されている。
【００１３】
各線状光源５，６を構成する一対のランプ８，８は断面コの字状のリフレクタ１２で被覆されている。このリフレクタ１２は、一対のランプ８，８から発光した光を導光板２の端面２１，２２に集中させるもので、それらのランプ８，８とともに前記ベースフレーム７の端縁部に収納されている。
【００１４】
図１に示すように、本実施形態のバックライト装置１では、導光板２の第三端面２３に沿ってグランド線１３が延設されている。このグランド線１３の一端部には、第一線状光源５を構成する一対のランプ８，８の長手方向一端側の導電部が接続され、同グランド線１３の他端部には、第二線状光源６を構成する一対のランプ８，８の長手方向一端側の導電部が接続されている。
【００１５】
本実施形態のグランド線１３は、導電性を有しかつ長手方向端部に取付孔１５を有する硬質銅板等のプレート材よりなる。そして、図２に示すように、第一及び第二線状光源５，６の各ランプ８，８のグランド側の導電部を構成するリード線１４は、上記取付孔１５に挿通されて折り曲げられ、この折り曲げ部分を半田１６で固定することにより、当該プレート材に電気的に接続されている。
【００１６】
また、図１に示すように、プレート材よりなるグランド線１３の長手方向端部（第二線状光源６側の端部）には、グランド側のケーブル１７が接続されており、このケーブル１７は、図３に示すようにリフレクタ１２の背面側を通過して、前記コネクタ１１に接続されている。
【００１７】
上記構成に係る本実施形態のバックライト装置１によれば、第一及び第二線状光源５，６を構成する各ランプ８，８の長手方向一端側（グランド側）の導電部が導光板２の第三端面２３に沿って延設したグランド線１３にそれぞれ接続されているので、第一及び第二線状光源５，６のうちの少なくとも一方（図例では第一線状光源５）に対しては、その背面側にグランド側のケーブル１７を延設する必要がなくなる。従って、当該ケーブル１７を省略した第一線状光源５を収納するフレーム部分を狭額縁化することができる。
【００１８】
また、本実施形態のバックライト装置１によれば、第一及び第二線状光源５，６の導電部を構成するリード線１４を取付孔１５に挿通してプレート材１３に電気的に接続するようにしているので、第一及び第二線状光源５，６の一端部同士をプレート材１３を介して互いに位置決めすることができる。このため、当該光源５，６の他端部側で採用されているようなゴムホルダー９等の特別な固定部材が不要となり、バックライト装置１の製作コストを低減することができる。
【００１９】
なお、本発明は上記実施形態に限定されるものではない。
例えば、図例では、グランド側のケーブル１７をリフレクタ１２の背面側に配置しているが、薄型化にさほど妨げとならないのであれば、同ケーブル１７を前記反射シート４の裏面側に配置することにしてもよい。
この場合には、第二線状光源６の背面側にもグランド側のケーブル１７を延設する必要がなくなるので、第一線状光源５を収納するフレーム部分だけでなく、第二線状光源６を収納するフレーム部分をも狭額縁化できるという利点がある。
【００２０】
すなわち、本発明によれば、グランド側のケーブル１７をグランド線１３のどの部分からでも取り出すことができるので、もっともスペースの余裕のあるところにグランド側のケーブル１７を配置することができるという利点がある。
また、各線状光源５，６を構成するランプ８は一本だけでもよく、グランド線１７は、前記プレート材だけではなく、丸線ケーブルやフラットケーブル等の通常の電線を使用することもできる。
【００２１】
【発明の効果】
以上説明したように、本発明によれば、導光板の相対向する両端面にそれぞれ線状光源を配置するに当たり、少なくとも一方の線状光源に対するグランド側のケーブルを省略できるので、バックライト装置の狭額縁化に寄与することができる。
【図面の簡単な説明】
【図１】本発明に係るサイドライト型バックライト装置の分解斜視図である。
【図２】図１のＡ円内を拡大した断面図である。
【図３】同バックライト装置の基本構造を示す概略断面図である。
【符号の説明】
１　　　バックライト装置
２　　　導光板
５　　　第一線状光源
６　　　第二線状光源
１３　　　グランド線
１４　　　リード線
１５　　　取付孔
２１　　　第一端面
２２　　　第二端面
２３　　　第三端面
２４　　　第四端面
【図１】
2004055210.tif 000003
【図２】
2004055210.tif 000004
【図３】
2004055210.tif 000005